(57)【要約】【目的】  本発明は、単層又は複数層の折板屋根において、受光による蓄放熱の変化等から生じる板鳴り現象を防止すること。【構成】  単層の折板屋根Ａ又は複数層の折板屋根の上葺折板屋根Ａにおいて、主板１の幅方向両側より立上り側部２，２が形成され、該両立上り側部２，２の上端には被嵌合屈曲部３，３が形成された折板状屋根板Ａ1 と、前記被嵌合屈曲部３に嵌合するキャップ材Ａ2 と吊子Ｃとからなること。該吊子Ｃが折板状屋根板Ａ1 と接する部分若しくは吊子Ｃがキャップ材Ａ2 と接する部分に、又は前記吊子Ｃが折板状屋根板Ａ1 と接する部分及び吊子Ｃがキャップ材Ａ2 と接する部分に、非金属性軟質材８を被覆してなること。【選択図】      図１
2005299199.tif 000002
【特許請求の範囲】
【請求項１】
単層の折板屋根又は複数層の折板屋根の上葺折板屋根において、主板の幅方向両側部分より立上り側部が形成され、該両立上り側部の上端には被嵌合屈曲部が形成された折板状屋根板と、前記被嵌合屈曲部に嵌合するキャップ材と吊子とからなり、該吊子が折板状屋根板と接する部分若しくは吊子がキャップ材と接する部分に、又は前記吊子が折板状屋根板と接する部分及び吊子がキャップ材と接する部分に、非金属性軟質材を被覆してなることを特徴とする折板屋根における板鳴り防止構造。
【請求項２】
単層の折板屋根において、主板の幅方向両側部分より立上り側部が形成され、該両立上り側部の上端には被嵌合屈曲部が形成された折板状屋根板と、前記被嵌合屈曲部に嵌合するキャップ材と、非金属性軟質材を被覆した吊子とからなり、前記折板状屋根板が複数並設され、隣接する前記折板状屋根板の対向する両被嵌合屈曲部に前記吊子の吊子片が巻着又は嵌合されるとともに、前記両被嵌合屈曲部間にキャップ材が嵌合されてなることを特徴とする折板屋根における板鳴り防止構造。
【請求項３】
複数層の折板屋根の上葺折板屋根において、主板の幅方向両側部分より立上り側部が形成され、該両立上り側部の上端には被嵌合屈曲部が形成された折板状屋根板と、前記被嵌合屈曲部に嵌合するキャップ材と、下葺折板屋根上の断熱支持具に設けた，非金属性軟質材を被覆した吊子とからなり、前記屋根板が複数並設され、隣接する前記屋根板の対向する両被嵌合屈曲部に前記吊子の吊子片が巻着されるとともに、前記両被嵌合屈曲部間にキャップ材が嵌合されてなることを特徴とする折板屋根における板鳴り防止構造。
【請求項４】
請求項１，２又は３において、上葺折板屋根における前記キャップ材と、嵌合される前記両被嵌合屈曲部との間に軟質材が介在されてなることを特徴とする折板屋根における板鳴り防止構造。
【請求項５】
請求項１，２又は３において、前記非金属性軟質材を軟質合成樹脂材としてなることを特徴とする折板屋根における板鳴り防止構造。
【請求項６】
請求項１，３，４又は５において、複数層の折板屋根を２層とし、且つ該２層の上葺折板屋根の下方には被嵌合タイプの連結用屈曲部を有する下葺折板状屋根板と下層キャップ材からなる下葺折板屋根を設けてなることを特徴とする折板屋根における板鳴り防止構造。
【請求項７】
請求項１，３，４又は５において、複数層の折板屋根を２層とし、且つ該２層の前記上葺折板屋根の下方には下馳部，上馳部を有する下葺折板状屋根板からなる下葺折板屋根を設けてなることを特徴とする折板屋根における板鳴り防止構造。
【請求項８】
請求項１，２，３，４，５，６又は７において、前記非金属性軟質材の被膜厚さは約０．５〜約２mm、好ましくは約０．５〜約１mmとしてなることを特徴とする折板屋根における板鳴り防止構造。
【発明の詳細な説明】
【技術分野】
【０００１】
本発明は、単層又は複数層の折板屋根において、受光による蓄放熱の変化等から生じる板鳴り現象を防止することができる折板屋根における板鳴り防止構造に関する。
【背景技術】
【０００２】
従来より、金属製の折板状屋根板とキャップ材とからなる折板屋根が多く施工されている。このような折板屋根を構成する折板状屋根板は、谷状部の幅方向両側に連結用屈曲部を形成したもので、その折板状屋根板を複数並設し、隣接する折板状屋根板同士の連結用屈曲部を種々の連結手段を介して連結し、キャップ材を嵌合して嵌合タイプの折板屋根が施工される。このような嵌合タイプの折板屋根では、単層の他に、上葺折板屋根と下葺折板屋根とからなる２層の折板屋根が存在する。この２層の折板屋根には、上葺折板屋根と下葺折板屋根とが共に嵌合タイプの場合と、上葺折板屋根のみが嵌合タイプの場合がある。また、場合によっては、上葺，中間葺，下葺折板屋根からなる３層も存在する。
【０００３】
その嵌合タイプの折板屋根は、隣接する折板状屋根板に、キャップ材を嵌合して施工するものであるが、特許文献１では、キャップ材による嵌合箇所にフッソ樹脂テープ材からなる保護層が貼着されていた。この施工は、極めて手間が掛かり面倒であった。
【特許文献１】特開平６−８８４０４号
【発明の開示】
【発明が解決しようとする課題】
【０００４】
また、その音鳴り現象が如何なる原因で発生するのかの解明も手探り状態であったが、その原因等を解明した。「板鳴り現象」とは、金属製の折板状屋根板で屋根を茸き上げた場合、概ね方位、季節、地域などに関係なく、朝夕や昼間の外気温度の変化時に集中して屋根面から板鳴りが激しく生じることをいう。従来は「音鳴り」と称していたが、これを「板鳴り」として統一する。この場合の音色３分類と各状況について以下の段落［０００５］乃至段落［０００７］に今までの観察知見を整理した。
【０００５】
１．反転音
音色：単発的に発生。音量も、音源板接触で約１１５〜１２０ｄＢの範囲である。
「反転音」とは、弾性湾曲状の薄板を機械的に反転させたとき、或いは、夜間に密閉したドラム缶が発する”パーン、ドン、ボーン”で聞こえる音をいう。発生時間：温度変化時であって、季節を問わず、朝夕の温度変化時や昼間の受光変化時などで板表面の温度が段階的（２度前後の間隔）に上昇、下降の変化時間帯で集中的に群発するものである。
【０００６】
２．衝撃音
音色：単発的に発生。暗騒音４５ｄＢの環境下では聞き取り不鮮明な程度。            「衝撃音」とは、薄鋼板の小口片屋根板を、或いは、構成部材表面を軽く叩き押さえつけた時に生じる”コン、コツーン、カン”の金属打撃音をいう。天井有設置なら騒音対象にはなりにくい。発生部位：屋根板裏面と構成部材の金属の微少間隙部分で発生。発生時間：温度変化時であって、前記反転音に準じている。
【０００７】
３. 摩擦音
音色：散発的発生。「摩擦音」とは、薄鋼板の小口片で屋根板を擦ような”キー、キューン、ミシ”の金属接触擦り音をいう。このケースも天井有設置ならば騒音対象になりにくい。発生部位：衝撃音源に準じる部位。挙動現象：屋根と金属部材との取り付け接触面の接面移動による擦れ音。発生時間：温度変化時であって、前記反転音に準じている。
また、その外には、振動伝播音（一度の発生で、数十平方メートル〜数百平方メートル単位の屋根が間断なく波状的に数十秒間継続し、例外なく騒音対象となる）がある。音色：連続音で継続。反転音を除外し、衝撃音と摩擦音が混在した大きな音量で発生区間の屋根全面で鳴り響く。この音量は、静かな環境下で突如強烈な夕立の雨音に匹敵、或いは、間断なく浜辺に打ち寄せる大波の衝撃音に擬似している。
【０００８】
以上のような板鳴り現象が発生し、折板屋根内の住人に極めて大きな騒音を与えることとなる。大きな原因としては、折板状屋根板が凹状としたものの場合、太陽光の当たる部分の熱伸縮は大きくなり、当たらない部分は熱伸縮が小さくなるものである。このような熱伸縮誤差にて「反転音」、「衝撃音」、「摩擦音」等の板鳴りが発生する。このようなことから、板鳴り現象の発生を簡単に防止することができる折板屋根における板鳴り防止構造とすることが、本発明の技術的課題（課題又は目的等）である。
【課題を解決するための手段】
【０００９】
そこで、発明者は上記課題を解決すべく、鋭意，研究を重ねた結果、本発明を、単層の折板屋根又は複数層の折板屋根の上葺折板屋根において、主板の幅方向両側部分より立上り側部が形成され、該両立上り側部の上端には被嵌合屈曲部が形成された折板状屋根板と、前記被嵌合屈曲部に嵌合するキャップ材と吊子とからなり、該吊子が折板状屋根板と接する部分若しくは吊子がキャップ材と接する部分に、又は前記吊子が折板状屋根板と接する部分及び吊子がキャップ材と接する部分に、非金属性軟質材を被覆してなることを特徴とする折板屋根における板鳴り防止構造としたことにより、前記課題を解決した。また、単層の折板屋根において、主板の幅方向両側部分より立上り側部が形成され、該両立上り側部の上端には被嵌合屈曲部が形成された折板状屋根板と、前記被嵌合屈曲部に嵌合するキャップ材と、非金属性軟質材を被覆した吊子とからなり、前記折板状屋根板が複数並設され、隣接する前記折板状屋根板の対向する両被嵌合屈曲部に前記吊子の吊子片が巻着又は嵌合されるとともに、前記両被嵌合屈曲部間にキャップ材が嵌合されてなることを特徴とする折板屋根における板鳴り防止構造としたことにより、前記課題を解決した。
【００１０】
また、複数層の折板屋根の上葺折板屋根において、主板の幅方向両側部分より立上り側部が形成され、該両立上り側部の上端には被嵌合屈曲部が形成された折板状屋根板と、前記被嵌合屈曲部に嵌合するキャップ材と、下葺折板屋根上の断熱支持具に設けた，非金属性軟質材を被覆した吊子とからなり、前記屋根板が複数並設され、隣接する前記屋根板の対向する両被嵌合屈曲部に前記吊子の吊子片が巻着されるとともに、前記両被嵌合屈曲部間にキャップ材が嵌合されてなることを特徴とする折板屋根における板鳴り防止構造としたことにより、前記課題を解決した。また、前記構成において、上葺折板屋根における前記キャップ材と、嵌合される前記両被嵌合屈曲部との間に軟質材が介在されてなることを特徴とする折板屋根における板鳴り防止構造としたことにより、前記課題を解決した。さらに、前記構成において、前記非金属性軟質材を軟質合成樹脂材としてなることを特徴とする折板屋根における板鳴り防止構造としたことにより、前記課題を解決した。
【００１１】
また、前記構成において、複数層の折板屋根を２層とし、且つ該２層の上葺折板屋根の下方には被嵌合タイプの連結用屈曲部を有する下葺折板状屋根板と下層キャップ材からなる下葺折板屋根を設けてなることを特徴とする折板屋根における板鳴り防止構造としたことにより、前記課題を解決した。また、前記構成において、複数層の折板屋根を２層とし、且つ該２層の前記上葺折板屋根の下方には下馳部，上馳部を有する下葺折板状屋根板からなる下葺折板屋根を設けてなることを特徴とする折板屋根における板鳴り防止構造としたことにより、前記課題を解決した。さらに、前記構成において、前記非金属性軟質材の被膜厚さは約０．５〜約２mm、好ましくは約０．５〜約１mmとしてなることを特徴とする折板屋根における板鳴り防止構造としたことにより、前記課題を解決したものである。
【発明の効果】
【００１２】
請求項１の発明においては、単層又は複数層の折板屋根において、第１に板鳴り現象を回避することができるし、第２に極めて簡単な構造とし、簡易且つ迅速なる施工とすることができる等の種々の効果を奏する。請求項２の発明においては、単層の折板屋根において、板鳴り現象を回避することができる。また、請求項３の発明においては、複数層の折板屋根において、板鳴り現象を回避することができる。また、請求項４の発明においては、複数層の折板屋根においても、板鳴り現象を回避できる。さらに、請求項４、５の発明においては、複数層の折板屋根において、確実に板鳴り現象を回避することができる。また、請求項６、７の発明においては、複数層の折板屋根を２層としても、板鳴り現象を回避できる。また、請求項８の発明においては、騒音を出しにくくし、良好に板鳴り現象を回避できる。
【００１３】
特に、音色を問わず、上葺折板屋根の板鳴りを誘発させる主原動力は、受光による蓄放熱の変化と風の大小（強弱）による振動波によるものであると諸現象から分析できた。すなわち、折板状屋根板は外気温度の変化で膨張と収縮が、軒先と棟で伸縮挙動として現れており、また、屋根板表面の細部でも受光面と陰影面（受熱温度差）の実在から、個々の屋根板は伸縮挙動に加え水平面に沿って「高温側が最大半径となる湾曲変形の挙動」も相乗し発生しているものである。これによって、板鳴りの音源は、「層と板」に変形挙動を生じさせ熱応力と、接点を維持する「構成部材固有」の抵抗力との釣り合いが飽和に達して拮抗が崩壊した瞬間に、両材接点の位置移動が「衝撃、摩擦、振動」を伴って生じる時に発する空気の伝播音である。
【００１４】
また、部材接点間の拮抗から崩壊の過程で、増減する熱応力は蓄積と解放を繰り返し、次なる板鳴り発生の予備力となっていることも事実である。次に、風の大小による関連要因は、外気温度も平衡で両材（屋根と部材）の接点が拮抗している状態の時、屋根の固有振動と風息の波長が同調するような風圧に遭遇すると、特に、風上側のケラバ周辺近辺では接点の拮抗が崩壊し易くなり、上述の現象が最も生じ易くなる（共振発生の原理）。以上の概論による「応力と挙動」の相関が程度を問わず、聴覚的分類の直接的な「衝盤音、摩擦音、振動音」の板鳴りを誘発させている主因である。
【００１５】
また、「反転音」については、風息波による影響は溝板が極端な凹凸変形を現している事例以外で見あたらない。その「反転音」における板の反転は、変形部材と隣接している非変形部位端との接線境界で生じる「付加する熱応力と板の弾性曲げ抵抗力」との拮抗（又は釣合い）が熱応力側の変化（超過或いは減少、いずれも熱力学上等量）で崩壊したとき、バネの反発力によって板は瞬時に反転するものである。このような板鳴り現象も「瞬時反転、折線境界の移動」で生じる空気の振動伝播音とみなせば、主因も概ね上述の温度変化に起因していることを解明できたものである。これらの解明に基づいて、簡易な構成で開発したのが本発明である。
【発明を実施するための最良の形態】
【００１６】
以下、本発明を実施するための最良の形態について図面に基づいて説明する。図１又は図８等に示すように、単層又は複数層の折板屋根において、上葺折板屋根Ａは、複数の折板状屋根板Ａ1 ，Ａ1 ，…から構成される。該折板状屋根板Ａ1 は、主板１の幅方向両側部分より立上り側部２，２が形成され、その両立上り側部２，２の上端には被嵌合屈曲部３，３が形成されている。そして、このような折板状屋根板Ａ1 ，Ａ1 …を複数並設し、それぞれの隣接する折板状屋根板Ａ1 ，Ａ1 の対向する被嵌合屈曲部３，３上にキャップ材Ａ2 を嵌合して両折板状屋根板Ａ1 ，Ａ1 を連結し、上葺折板屋根Ａを施工してゆくものである。該上葺折板屋根Ａは２層、３層であっても該当する。また、単層の場合は、折板屋根が上葺折板屋根Ａに該当する。
【００１７】
その被嵌合屈曲部３の具体的な形状としては、図１乃至図３等に示すように、水平状片３ａより垂直状片３ｂが形成され、該垂直状片３ｂの上端より頂片３ｃが形成され、該頂片３ｃの外端より被嵌合端片３ｄが形成されている。その水平状片３ａ，垂直状片３ｂ及び頂片３ｃにて略コ字形状が構成されている。そのキャップ材Ａ2 は上面部４の幅方向両側より嵌合屈曲部５，５が形成されたものであり、該嵌合屈曲部５，５が前記隣接する折板状屋根板Ａ1 ，Ａ1 の対向する被嵌合屈曲部３，３の被嵌合端片３ｄ，３ｄに嵌合する構造となっている。
【００１８】
Ｃは吊子であって、図４に示すように、カップ状の金属製の本体部６と、該本体部６の左右側に金属製の吊子片７、７が一体又は別体にて形成され、前記本体部６と吊子片７、７とが、非金属性軟質材８にて全面被覆されている。また、場合によっては、前記吊子片７、７のみに被覆されていることもある。具体的には、該非金属性軟質材８は、弾性或いは柔軟性を有するものである。このような性質を有する材質としては、軟質ゴム（天然ゴム、合成ゴム）又は軟質塩化ビニル樹脂である。
【００１９】
また、ポリオレフィレ系軟質樹脂（代表として、エチレン・プロピレン共重合体）、スチレン系熱可塑性エラストマー（代表：スチレン・ブタジェン共重合体）、軟質ポリエステル樹脂、軟質フッ素樹脂又はプラスティック製発砲体（代表：ポリオレフィン発砲体、ポリウレタン発砲体）である。さらに、前記非金属性軟質材８の厚さとしては、約０．５mm〜約２mm程度とするものである。また、好ましくは、約０．５mm〜約１mm程度である。さらに好ましくは、約０．６mm〜約１mm程度である。このように有る程度の厚みを有することで、非金属性軟質材８が有する弾性等により熱歪みなる振動を吸収できるというのが大きな要因と考えている。
【００２０】
隣接する折板状屋根板Ａ1 ，Ａ1 の対向する被嵌合屈曲部３，３間に前記吊子Ｃが介在され、吊子片７、７が前記被嵌合屈曲部３，３の被嵌合端片３ｄ，３ｄにそれぞれ巻着又は嵌合される〔図２（Ａ），（Ｂ）、図５（Ａ），（Ｂ）参照〕。実施態様では、吊子片７が被嵌合端片３ｄに巻着されているが、結合状態が確実であることを条件にして、単に嵌合する場合もある。
【００２１】
その折板状屋根板Ａ1 ，Ａ1 …からなる折板屋根を上葺折板屋根Ａとし、該上葺折板屋根Ａと下葺折板屋根Ｂとから構成する２層の折板屋根（図１参照）、及び折板状屋根板Ａ1 ，Ａ1 …のみからなる単層の折板屋根Ａが主に存在する（図８参照）。その２層の折板屋根では、図１に示すように、上葺折板屋根Ａと下葺折板屋根Ｂからなり、その下葺折板屋根Ｂは下葺折板状屋根板Ｂ1 ，Ｂ1 …から構成されており、上葺折板屋根Ａを構成する折板状屋根板Ａ1 と同様のタイプで、下層主板１０の幅方向両側に下層立上り側部１１，１１が形成され、該下層立上り側部１１，１１の上端に連結用屈曲部１２，１２が形成されている。
【００２２】
該連結用屈曲部１２，１２は種々の実施形態が存在しており、第１実施形態としては、上葺折板屋根Ａを構成する折板状屋根板Ａ1 と同様に被嵌合タイプとしたものであり、下層キャップ材Ｂ2 を使用するものである（図１参照）。さらに、連結用屈曲部１２，１２の別のタイプとして下馳部１２ａと上馳部１２ｂとからなり下馳部１２ａと上馳部１２ｂとを馳締めして連結するものである〔図６及び図７（Ａ）参照〕。また、連結用屈曲部１２，１２の別の実施形態としては、重合タイプのものであり、両連結用屈曲部１２，１２は半山形状に形成されており、両連結用屈曲部１２，１２を重合し、その山形状部に形成された連結用屈曲部１２，１２の頂部同士を受金具２１に垂直に設けたボルトに貫通させてナットにて締付け固定し、下葺折板屋根Ｂを構成する〔図７（Ｂ）参照〕。図中２０は下地鉄骨である。
【００２３】
その上葺折板屋根Ａを下葺折板屋根Ｂ上で支持するものとして断熱支持具Ｄが使用される。該断熱支持具Ｄは、図１，図６及び図７等に示すように、下部側支持部Ｄ1 と上部側支持部Ｄ2 とから構成され、前記下部側支持部Ｄ1 では、前記下葺折板屋根Ｂを構成する下葺折板状屋根板Ｂ1 ，Ｂ1 …の連結に固定することができる構造となっている。具体的には、下葺折板屋根Ｂが嵌合タイプの場合には、図１等に示すように、下部側支持部Ｄ1 が下層キャップ材Ｂ2 の上部に載置固定することができる構造となっている。
【００２４】
また、下葺折板状屋根板Ｂ1 ，Ｂ1 …が馳締めタイプの場合には、図６及び図７（Ａ）に示すように、下部側支持部Ｄ1 の構造はその下馳部１２ａと上馳部１２ｂとからなる馳締部を内装する馳締部装着部１３とその馳締部を固着する固定部１４とから構成されており、その固定部１４としてはボルトが使用され、馳締部装着部１３内に馳締部を内装し、固定部１４にて馳締部を固定するものである。
【００２５】
また、上部側支持部Ｄ2 は、上部本体１５の頂部に左右に突出した補助支持板１６が形成されている。該補助支持板１６上には、前記吊子Ｃが設けられ、該吊子Ｃにて、被嵌合屈曲部３，３とが固定され、前記補助支持板１６にて立上り側部２，２を支持するものである〔図１及び図２（Ａ）等参照〕。
【００２６】
その単層の折板屋根Ａ及び２層の折板屋根における上葺折板屋根Ａにおいて、図２及び図３に示すように、前記キャップ材Ａ2 は上面部４の幅方向両側箇所の裏面及び嵌合屈曲部５，５に形成された嵌合段部５ａ、５ａの上側位置の裏面に軟質材９が装着される。該軟質材９は、弾性或いは柔軟性を有するものであり、帯状をなしている。このような性質の材質としては、まず弾性を有するものとしてネオプレーンゴム，スチレンブタジェンゴム，ウレタンゴム，ポリブタジェンゴム，アクリルゴム，スチレンゴム，フッ素ゴム，シリコーンゴム等の天然及び合成ゴムであり、また柔軟性を有するものとしてはガラス長繊維積層体等の軟質積層体，軟質塩ビ等の軟質合成樹脂や，ポリエチレンフォーム，ポリウレタンフォーム等の発泡材である。
【００２７】
その軟質材９は、隣接する折板状屋根板Ａ1 ，Ａ1 の対向する被嵌合屈曲部３，３とキャップ材Ａ2 の間に介在されるものである〔図２（Ａ），（Ｂ）参照〕。また、軟質材９は折板状屋根板Ａ1 の長手方向、即ち、被嵌合屈曲部３，３とキャップ材Ａ2 の長手方向に沿って、連続して介在されている。前述したように、前記吊子Ｃと前記軟質材９とを使用することもあるし、施工現場によっては、前記吊子Ｃのみで単層の折板屋根Ａ及び２層の折板屋根における上葺折板屋根Ａを施工することもある。
【図面の簡単な説明】
【００２８】
【図１】下葺折板屋根と上葺折板屋根とからなる２層折板屋根の本発明の正面略示図である。
【図２】（Ａ）は本発明の要部の縦断正面図、（Ｂ）はキャップ材の下面に軟質材を貼り、キャップ材と吊子片との間及び被嵌合屈曲部と吊子片との間に非金属性軟質材を設けた状態を示す縦断拡大正面図である。
【図３】（Ａ）はキャップ材の斜視図、（Ｂ）は隣接する被嵌合屈曲部間に吊子が結合された要部斜視図、（Ｃ）は（Ｂ）の要部拡大縦断面図である。
【図４】（Ａ）は非金属性軟質材を設けない状態の吊子の斜視図、（Ｂ）は一部切除した吊子の斜視図、（Ｃ）は吊子の吊子片の縦断面図である。
【図５】（Ａ）は本発明の別の実施例の要部の縦断正面図、（Ｂ）はキャップ材をそのままとして、キャップ材と吊子片との間及び被嵌合屈曲部と吊子片との間に非金属性軟質材を設けた状態を示す縦断拡大正面図である。
【図６】下葺折板屋根と上葺折板屋根とからなる別の実施形態の２層折板屋根の本発明の正面略示図である。
【図７】（Ａ）は下葺折板屋根を馳締タイプとした実施形態の要部縦断正面図、（Ｂ）は下葺折板屋根を重合タイプとした実施形態の要部縦断正面図である。
【図８】（Ａ）は本発明を単層（一層）とした折板屋根、（Ｂ）は（Ａ）の要部拡大断面図である。
【００２９】
Ａ…上葺折板屋根、Ａ1 …折板状屋根板、Ａ2 …キャップ材、Ｂ…下葺折板屋根、
Ｂ1 …下葺折板状屋根板、Ｃ…吊子、Ｄ…断熱支持具、１…主板、２…立上り側部、
３…被嵌合屈曲部、７…吊子片、８…非金属性軟質材、９…軟質材。
【図１】
2005299199.tif 000003
【図２】
2005299199.tif 000004
【図３】
2005299199.tif 000005
【図４】
2005299199.tif 000006
【図５】
2005299199.tif 000007
【図６】
2005299199.tif 000008
【図７】
2005299199.tif 000009
【図８】
2005299199.tif 000010